(57)【特許請求の範囲】
【請求項１】
第１のＩＣカードがカードスロットを通じて着脱可能に収容される第１のカード収容部と、該着脱方向に対し略直交する方向における第１のＩＣカードの幅よりも小なる幅を有する第２のＩＣカードが共通の該カードスロットおよび第１のカード収容部を介して着脱可能に収容される第２のカード収容部と、を有するハウジング部と、
前記ハウジング部における前記第１のカード収容部および第２のカード収容部にそれぞれ配され、前記第１のＩＣカードおよび第２のＩＣカードの電極部に電気的に接続される複数のコンタクト端子と、を備え、
前記ハウジング部における前記第２のカード収容部の一部を形成する一方の側壁に一体に形成され、挿入された第２のＩＣカードの先端部を、第２のカード収容部の他の部分を形成する該一方の側壁に向かい合う他方の側壁の内周部に向けて誘導するカード誘導部が、前記第１のカード収容部と前記第２のカード収容部との境界部近傍に対応する位置に形成される角部であり、前記挿入され誘導された第２のＩＣカードの先端部の両側面が、前記一方の側壁の内周面および前記他方の側壁の内周面により案内されることを特徴とするＩＣカード用コネクタ。
【請求項２】
前記カード誘導部の端面は、前記第１のカード収容部に装着された第１のＩＣカードの
先端部を受け止めることを特徴とする請求項１記載のＩＣカード用コネクタ。
【請求項３】
前記第２のＩＣカードが前記共通のカードスロットおよび第１のカード収容部を介して挿入される場合、該第２のＩＣカードの先端部の面取り部がカード誘導部に当接されることにより、挿入される該第２のＩＣカードの側面が、該第２のＩＣカードの着脱方向に対し直交する方向に誘導され前記他方の側壁の内周部に当接することを特徴とする請求項１または請求項２記載のＩＣカード用コネクタ。
【発明の詳細な説明】
【技術分野】
【０００１】
本発明は、互いに形状の異なる複数のＩＣカードのうちの一枚のＩＣカードが選択的に着脱可能なＩＣカード用コネクタに関する。
【背景技術】
【０００２】
ＩＣカード用コネクタにおいては、互いに形状の異なる複数のＩＣカード、例えば、ＳＤ（商標）カード（ｓｅｃｕｒｅ  ｄｅｇｉｔａｌ ｃａｒｄ）、または、メモリースティックＤｕｏ（商標）カードを一つの電子機器内に装着し利用するために各ＩＣカードに対し共通のカードスロットをコネクタハウジングに有するとともに、各ＩＣカードが１枚づつ選択的に着脱される複合のカード収容部をコネクタハウジング内に設けたものが提案されている。
【０００３】
このような複合のカード収容部をコネクタハウジング内に有するＩＣカード用コネクタにおいては、例えば、特許文献１および特許文献２にも示されるように、各カード収容部が、一部を互いに重複するようにＩＣカードの着脱方向に沿って前後に形成されるか、あるいは、各カード収容部が一部を互いに重複するように階層的に形成されている。斯かる構成においては、所定のＩＣカードが、正規のカード収容部とは異なるカード収容部への使用者による誤った挿入操作が回避されるようにＩＣカードの円滑な着脱を可能とすることが必要とされる。
【０００４】
この必要な対策として、例えば、特許文献２にも示されるように、所定のＩＣカードの誤った挿入操作を規制するシャッター部を有するアクチュエータを有するものが提案されている。アクチュエータは、共通のカードスロット近傍の内部に回動可能にコネクタハウジングに支持されている。ＩＣカードの着脱方向に対し直交するアクチュエータのシャッター部は、上述のような複数のＩＣカードのうちの大きさの小さいメモリースティックＤｕｏカードのみが通過する通過開口を有している。
【０００５】
斯かる構成において、ＳＤカードが装着される場合、カードスロットの周縁に形成される案内溝により案内されるＳＤカードの先端部でアクチュエータのシャッター部が押圧される。その際、アクチュエータがアンロック状態とされるのでアクチュエータが回動される。これにより、ＳＤカードが回動されたアクチュエータのシャッター部の上方を通過しＳＤカード用のカード収容部に装着されることとなる。一方、メモリースティックＤｕｏカードが装着される場合、カードスロットを通過したメモリースティックＤｕｏカードの先端部は、アクチュエータのシャッター部における通過開口の周縁により案内されることにより、メモリースティックＤｕｏカード用のカード収容部に装着されることとなる。その際、アクチュエータがロック状態とされるのでアクチュエータが回動されない。
【先行技術文献】
【特許文献】
【０００６】
【特許文献１】特開２０１１−１４４０５号公報
【特許文献２】特開２０１１−２２２５０５号公報
【発明の概要】
【発明が解決しようとする課題】
【０００７】
上述のような複合のカード収容部をコネクタハウジング内に有するＩＣカードコネクタにおいて、ＩＣカードコネクタの低背化および製造コストの低減の観点からアクチュエータが設けられない場合がある。このような場合、ＳＤカードが装着されるとき、ＳＤカードは、目視により確認できるカードスロットの周縁に形成される案内溝により案内されることにより、ＳＤカード用のカード収容部に容易に装着されることとなる。
【０００８】
しかしながら、メモリースティックＤｕｏカードが装着される場合、メモリースティックＤｕｏカードは、カードスロットの周縁に形成されるＳＤカード用の案内溝により案内されず通過される。また、メモリースティックＤｕｏカード用のカード収容部には、メモリースティックＤｕｏカードの先端部に形成される複数の溝部に対応した複数の突起部が所定の間隔で一列に形成されているのでカードの装着のとき、メモリースティックＤｕｏカードの先端部に形成される各溝部を、対応する各突起部に嵌合させながら挿入することは、使用者は、その突起部を外部から目視で確認できないのでカードの装着が容易でない。
【０００９】
以上の問題点を考慮し、本発明は、互いに形状の異なる複数のＩＣカードのうちの一枚のＩＣカードが選択的に着脱可能なＩＣカード用コネクタであって、所定のＩＣカードの誤った挿入操作を規制するアクチュエータを用いることなく、互いに形状の異なる複数のＩＣカードのうち比較的幅の狭いＩＣカードを容易に着脱できるＩＣカード用コネクタを提供することを目的とする。
【課題を解決するための手段】
【００１０】
上述の目的を達成するために、本発明に係るＩＣカード用コネクタは、第１のＩＣカードがカードスロットを通じて着脱可能に収容される第１のカード収容部と、着脱方向に対し略直交する方向における第１のＩＣカードの幅よりも小なる幅を有する第２のＩＣカードが共通のカードスロットおよび第１のカード収容部を介して着脱可能に収容される第２のカード収容部と、を有するハウジング部と、ハウジング部における第１のカード収容部および第２のカード収容部にそれぞれ配され、第１のＩＣカードおよび第２のＩＣカードの電極部に電気的に接続される複数のコンタクト端子と、を備え、ハウジング部における第２のカード収容部の一部を形成する一方の側壁に一体に形成され、挿入された第２のＩＣカードの先端部を、第２のカード収容部の他の部分を形成する一方の側壁に向かい合う他方の側壁の内周部に向けて誘導するカード誘導部が、第１のカード収容部と第２のカード収容部との境界部近傍に対応する位置に形成される角部であり、挿入され誘導された第２のＩＣカードの先端部の両側面が、一方の側壁の内周面および他方の側壁の内周面により案内されることを特徴とする。
【００１１】
また、カード誘導部の端面は、第１のカード収容部に装着された第１のＩＣカードの先端部を受け止めるものであってもよい。
【００１２】
さらに、第２のＩＣカードが共通のカードスロットおよび第１のカード収容部を介して挿入される場合、第２のＩＣカードの先端部の面取り部がカード誘導部に当接されることにより、挿入される該第２のＩＣカードの側面が、第２のＩＣカードの着脱方向に対し直交する方向に誘導され他方の側壁の内周部に当接するものでもよい。
【発明の効果】
【００１３】
本発明に係るＩＣカード用コネクタによれば、ハウジング部における前記第２のカード収容部の一部を形成する一方の側壁に設けられ、挿入された第２のＩＣカードの先端部を、第２のカード収容部の他の部分を形成する一方の側壁に向かい合う他方の側壁の内周部に向けて誘導するカード誘導部が、第１のカード収容部と第２のカード収容部との境界部近傍に対応する位置にあることにより、第１のＩＣカードの幅よりも小なる幅を有する第２のＩＣカードの先端部がカード誘導部により他方の側壁の内周部に向けて誘導されるので所定のＩＣカードの誤った挿入操作を規制するアクチュエータを用いることなく、互いに形状の異なる複数のＩＣカードのうち比較的幅の狭いＩＣカードを容易に着脱できる。
【図面の簡単な説明】
【００１４】
【図１】本発明に係るＩＣカード用コネクタの一例における断面図である。
【図２】図１におけるＩＩ−ＩＩ線に沿って示される断面図である。
【図３】図１に示される例において、ＳＤカードが装着された状態を示す断面図である。
【図４】（Ａ），（Ｂ），および、（Ｃ）は、それぞれ、図１に示される例における動作説明に供される図である。
【図５】４（Ｃ）におけるＶ−Ｖ線に沿って示される部分断面図である。
【図６】Ｄｕｏカードの裏面を示す平面図である。
【図７】図６に示されるＤｕｏカードの側面図である。
【発明を実施するための形態】
【００１５】
本発明に係るＩＣカード用コネクタの一例は、例えば、携帯電話機、携帯式オーディオ機器、デジタルカメラ等の電子機器内部の配線基板ＰＢに配されるものとされる。
【００１６】
ＩＣカード用コネクタには、メモリーカード、例えば、第１のカードとしてのＳＤカード（ｓｅｃｕｒｅ  ｄｅｇｉｔａｌ ｃａｒｄ）（商標）３２（図３参照）、または、第２のカードとしてのメモリースティックＰｒｏ−Ｄｕｏ（商標）カード３０（図６および図７参照）（以下、Ｄｕｏカード３０ともいう）のうちの一枚のカードが着脱可能に収容される。ＩＣカード用コネクタは、収容されたメモリーカードのコンタクトパッドと所定の電子機器の内部に配される信号入出力用等の配線基板ＰＢ（図２参照）の接続端子部とを電気的に接続するものとされる。なお、メモリーカードは、上述のＳＤカードに限られることなく、その代わりに、ＭＭＣ（ｍｕｌｔｉ  ｍｅｄｉａ  ｃａｒｄ）カード（商標）であってもよい。
【００１７】
ＳＤカード３２は、例えば、厚さ約２．１ｍｍ、縦横の寸法がそれぞれ約３２ｍｍ、約２４ｍｍに設定されている。Ｄｕｏカード３０の長手寸法および幅寸法は、ＳＤカード３２の長手寸法および幅寸法に比して、小である。ＳＤカード３２は、互いに平行に形成される複数の凹部内に配されるコンタクトパッドをその裏面部の先端部に有している。その裏面部の先端部における一方の角には、面取り部３２２が形成されている。ＳＤカード３２のライトプロテクトボタン３２１は、例えば、図３において左端の位置、または、右端の位置をとるものとされる。なお、図３は、上述のコンタクトパッドが見えないＳＤカード３２の表面部側から見たＳＤカード３２を示す。
【００１８】
板状のＤｕｏカード３０は、例えば、図６に拡大されて示されるように、相対向する表面部３１１および裏面部３１２を有する。なお、図６においては、Ｄｕｏカード３０の裏面部３１２のみを示す。また、Ｄｕｏカード３０は、その先端の角部に、面取り部３０３を有している。
【００１９】
Ｄｕｏカード３０における裏面部３１２には、その面取り部３０３に隣接した部分に形成される比較的浅い凹部３０２の周囲に、突起部がＤｕｏカード３０の側面に沿って所定の長さだけ形成されている。Ｄｕｏカード３０が後述するカード収容部に装着される場合、凹部３０２には、後述するハウジング部の誤挿入防止用突起部１５７（図１参照）が挿入される。
【００２０】
また、Ｄｕｏカード３０の側面における突起部に対し所定距離、離隔した部分には、逃げ部３０１が設けられている。逃げ部３０１は、他の部分の厚さに比べて薄く形成されている。
【００２１】
Ｄｕｏカード３０の裏面部３１２における先端部には、凹部３０２から中央側に離隔した位置に、複数の凹部がその長辺に対し略平行に所定の間隔で形成されている。各凹部の幅およびＤｕｏカード３０の長手方向に沿った長さは、互いに同一に設定されている。隣接する凹部相互間、および、その列の端に位置する凹部と凹部３０２との間は、仕切壁により仕切られている。その仕切壁における凹部３０２を臨む端面からＤｕｏカード３０の側面までの寸法Ｌｂは、所定の値に設定されている。寸法Ｌｂは、上述の面取り部３０３における側面に沿った寸法Ｌａに比して小に設定されている。
【００２２】
図６において、複数の凹部の底面には、それぞれ、電極部としてのコンタクトパッド３０４が配設されている。従って、コンタクトパッド３０４は、１０ピン方式をとっている。また、複数のコンタクトパッド３０４からなる電極群は、Ｄｕｏカード３０の裏面部３１２において、電極群の中心位置が図６における中心軸線Ｃに対し一方向に偏った位置に形成されることとなる。
【００２３】
ＩＣカード用コネクタは、図１に拡大されて示されるように、上述の第１のカードとしてのＳＤカード３２、または、第２のカードとしてのＤｕｏカード３０を着脱可能に収容するカード収容部１０および１８を内側に有するハウジング部１と、カード収容部１８に配されるＳＤカード３２に接続される複数のコンタクト端子４、およびコンタクト端子８と、カード収容部１０に配されるＤｕｏカード３０に接続される複数のコンタクト端子６と、を含んで構成されている。
【００２４】
ハウジング部１は、例えば、成形樹脂材料で一体に成形されており、カード収容部１０および１８の下部を形成するベース部１５と、カード収容部１０および１８の上部を形成する天板部１６と、を含んで構成されている。
【００２５】
ベース部１５は、図１に示されるように、カード収容部１０および１８の両側部をそれぞれ形成する側壁１１、側壁１２および１３と、Ｄｕｏカード用のコンタクト端子６が配されカード収容部１０の端壁を形成するコンタクト端子固定壁部１４と、側壁１１、１２および１３とコンタクト端子固定壁部１４とを連結する底部とを含んで構成されている。
【００２６】
ベース部１５と天板部１６との間に形成されるカード収容部１８は、図２に示されるように、後述するコンタクト端子固定部側とは反対側の端部が、共通のカードスロットとして開口している。カードスロットは、ＳＤカード３２、Ｄｕｏカード３０のうちの一枚のＩＣカードが選択的に通過される。なお、斯かる例に限られることなく、天板部１６の代わりに、金属製のカバー部材がベース部１５に固定されるように構成されてもよい。
【００２７】
その共通のカードスロットにおける側壁１１側の周縁には、図３に示されるように、挿入されるＳＤカード３２の一方の側部を案内する案内溝１１１が、側壁１１の内周部に形成されている。案内溝１１１の終端は、挿入されたＳＤカード３２の面取り部３２２を受け止める斜面部１１２を有している。斜面部１１２は、後述するカード収容部１０を形成する側壁１１の内周部に連なる案内面１１３に連結されている。案内面１１３は、その勾配が斜面部１１２の勾配に比して緩やかになるように形成されている。
【００２８】
そのカードスロットにおける側壁１２側の周縁には、ライトプロテクトボタン検出スイッチを収容する検出スイッチ収容部１２１が、側壁１１に向かい合う側壁１２の内部に形成されている。また、側壁１２は、案内壁１２２を内周部に有している。案内壁１２２は、検出スイッチ収容部１２１におけるカード収容部側の内壁を形成するとともに、挿入されたＳＤカード３２およびＤｕｏカード３０の側面を案内するものとされる。
【００２９】
ライトプロテクトボタン検出スイッチは、ＳＤカード３２のライトプロテクトボタン３２１の位置を検出するものとされる。ライトプロテクトボタン検出スイッチは、弾性変位可能な可動接点片２２と、固定接点片２１とから構成されている。可動接点片２２は、図３に示されるように、挿入されたＳＤカード３２のライトプロテクトボタン３２１に選択的に当接する当接部２２１と、当接部２２１の移動に応じて固定接点片２１の接点部に当接する接点部２２２とを一端部に有している。当接部２２１は、側壁１２の開口部を通じてカードスロットに向けて突出している。接点部２２２は、固定接点片２１に対向するように当接部２２１に対し折り曲げられている。これにより、ライトプロテクトボタン検出スイッチにおける当接部２２１が挿入されたＳＤカード３２のライトプロテクトボタン３２１に当接され押し戻されるとき、例えば、ハイレベルの信号が形成され、当接部２２１が挿入されたＳＤカード３２のライトプロテクトボタン３２１に当接しないとき、ローレベルの信号が形成されることとなる。
【００３０】
案内壁１２２に支持され検出スイッチ収容部１２１内に配されるＳＤカード認識スイッチは、弾性変位可能な可動接点片２４と、可動接点片２２に隣接して設けられる固定接点部２２３とから構成されている。可動接点片２４は、装着されたＳＤカード３２における一方の側面に当接する当接部２４１と、当接部２４１の変位に応じて固定接点部２２３に当接する接点部２４２とを一端部に有している。当接部２４１は、案内壁１２２の端部に形成される開口部を通じてカード収容部１８内に突出している。その際、当接部２４１の突出量は、図３に二点鎖線で示されるように、Ｄｕｏカード３０が挿入される場合、当接部２４１の先端がＤｕｏカード３０の面取り部３０３に当接しないように設定されている。
【００３１】
これにより、図３に示されるように、ＳＤカード認識スイッチにおける当接部２４１が挿入されたＳＤカード３２の側面に当接され押し戻されるとき、例えば、ＳＤカード３２が装着されたことをあらわすハイレベルの信号が形成され、当接部２４１が挿入されたＳＤカード３２の側面に当接しないとき、即ち、Ｄｕｏカード３０が挿入される場合、あるいは、ＳＤカード３２の側面が未だ当接部２４１に到達していない場合、または、ＳＤカード３２が装着されていない場合、ローレベルの信号が形成されることとなる。
【００３２】
上述の案内壁１２２の端部に形成される開口部に隣接した位置には、図１に示されるように、略直角な角部を有するカード誘導部１３１が側壁１２の端部に連なる側壁１３に形成されている。カード誘導部１３１は、図１に二点鎖線で示されるように、Ｄｕｏカード３０が挿入される場合、Ｄｕｏカード３０の先端部を図４（Ａ）に二点鎖線で示されるように、カード収容部１０側に誘導するものとされる。カード誘導部１３１におけるカード収容部１８側の端面は、上述の案内壁１２２の案内面を含む平面に対し略垂直に形成されている。上述の案内壁１２２の案内面を含む平面からカード誘導部１３１における側壁１３の内周面に連なる部分までの高さは、上述のＤｕｏカード３０の寸法Ｌｂよりも小に設定されている。
【００３３】
また、図３に示されるように、ＳＤカード３２が装着される場合、カード誘導部１３１におけるカード収容部１８側の端面は、装着されたＳＤカード３２の先端部の端面を受け止め、ＳＤカード３２のコンタクトパッドのコンタクト端子４、８に対する位置決めを行うものとされる。
【００３４】
複数のコンタクト端子６は、図１に示されるように、所定の相互間隔で側壁１１および１２に対して略平行に、コンタクト端子固定壁部１４からカード収容部１０内に突出し延在するように配列されている。
【００３５】
カード収容部１０に配される複数のコンタクト端子６は、弾性を有しＤｕｏカード３０の各コンタクトパッド３０４に当接し電気的に接続される接点部と、配線基板ＰＢの電極部に半田付け固定され電気的に接続される半田付端子部と、その接点部と半田付端子部とを相互に連結し、コンタクト端子固定壁部１４の溝１５８に固定される固定部とを含んで構成されている。薄板金属材料、例えば、バネ用燐青銅で作られるコンタクト端子６の固定部は、Ｄｕｏカード３０の挿入方向とは反対方向の側から溝１５８に圧入されることにより、コンタクト端子固定壁部１４に固定されている。
【００３６】
カード収容部１０に配される複数のコンタクト端子６のうち側壁１３に最も近く、最も端にあるコンタクト端子６と側壁１３との間に、誤挿入防止用突起部１５７が、側壁１３の内周部に対し所定の距離だけ離隔した位置にコンタクト端子６に対し略平行に形成されている。誤挿入防止用突起部１５７は、Ｄｕｏカード３０の凹部３０２の深さよりも小なる高さを有している。
【００３７】
さらに、ベース部１５における各コンタクト端子６の接点部に対し、Ｄｕｏカード３０の着脱方向に沿って向かい合う部分には、図１に示されるように、それぞれ、８個の同一形状の突起部１５４と、２個の同一形状の突起部１５５，および、１５６とが所定の均等間隔で形成されている。２個の同一形状の突起部１５５，および、１５６は、それぞれ、８個の突起部１５４の両脇に所定の間隔で形成されている。
【００３８】
突起部１５４、１５５，および、１５６は、それぞれ、コンタクトパッド３０４が配設されるＤｕｏカード３０の複数の凹部の形状に対応して形成されている。これにより、Ｄｕｏカード３０がカード収容部１０に装着される場合、複数の突起部１５４、１５５，および、１５６が、それぞれ、Ｄｕｏカード３０の複数の凹部に係合されるのでＤｕｏカード３０のコンタクトパッド３０４のコンタクト端子６の接点部に対する位置決めがなされる。また、誤挿入防止用突起部１５７の一端部と、複数の突起部１５４、１５５，および、１５６の一端とは、カードの着脱方向に略直交する方向に延在する共通の直線上に形成されることとなる。
【００３９】
複数の突起部１５４、１５５，および、１５６と後述する複数のコンタクト端子４との間の位置には、図２に示されるように、斜面部１５２が形成されている。真上から見て、斜面部１５２近傍にある複数の突起部１５４、１５５，および、１５６の一端面から斜面部１５２の裾部までの長さＤａは、図４（Ｂ）に示されるように、Ｄｕｏカード３０の寸法Ｌａと略同一に設定されている。また、側壁１１および側壁１３の内周部相互間における幅方向の長さＤｃは、互いに所定の隙間があるようにＤｕｏカード３０の幅寸法に比して若干大に設定されている。
【００４０】
また、８個のコンタクト端子４と、１個のコンタクト端子８とは、所定の相互間隔で側壁１１および１２に対して略平行に、カード収容部１８内に延在するように配列されている。
【００４１】
各コンタクト端子４およびコンタクト端子８は、図２に示されるように、弾性を有し、ＳＤカード３２のコンタクトパッドに当接し電気的に接続される接点部と、上述の配線基板ＰＢの電極部に半田付け固定され電気的に接続される半田付端子部と、その接点部と半田付端子部とを相互に連結し、ベース部１５の溝１５１に固定される固定部とを含んで構成されている。複数のコンタクト端子４およびコンタクト端子８の半田付端子部は、ベース部１５の端部からカードスロット側に向けて突出し、側壁１１，１２に向けて一列状に配列されている。
【００４２】
斯かる構成において、ＳＤカード３２がカード収容部１８に装着される場合、図３に示されるように、挿入されたＳＤカード３２の一方の側部がカードスロットの周縁の案内溝１１１に案内され、ＳＤカード３２の他方の側部が案内壁１２２に案内される。また、ＳＤカード３２の面取り部３２２が、側壁１１の斜面部１１２に受け止められるとともに、ＳＤカード３２の先端部が側壁１３のカード誘導部１３１の端面に当接される。これにより、複数のコンタクト端子４およびコンタクト端子８の接点部とＳＤカード３２のコンタクトパッドとが電気的に接続されることとなる。
【００４３】
一方、Ｄｕｏカード３０がカード収容部１８を通過してカード収容部１０に装着される場合、図４（Ａ）に二点鎖線で示されるように、Ｄｕｏカード３０の先端部の角が側壁１１の内周部に連なる案内面１１３に当接し、さらに、Ｄｕｏカード３０の先端部が押し込まれるとき、Ｄｕｏカード３０の先端部の側面が、それぞれ、側壁１１の内周面および側壁１３の内周面により案内されることとなる。従って、Ｄｕｏカード３０全体が斜めとなる姿勢でＤｕｏカード３０が挿入される虞がない。
【００４４】
また、図４（Ａ）に実線で示されるように、挿入されたＤｕｏカード３０の面取り部３０３がカード収容部１８を通過して側壁１３のカード誘導部１３１に当接した後、さらに押圧される場合、先ず、面取り部３０３がカード誘導部１３１の角に摺接することにより、Ｄｕｏカード３０の先端部は、ＩＣカードの着脱方向に対し略垂直となる矢印で示される方向に移動せしめられる。また、面取り部３０３がカード誘導部１３１に当接するため面取り部３０３がＳＤカード認識スイッチの当接部２４１の先端に当接することを防いでいる。これにより、ＳＤカード認識スイッチが誤ってＳＤカード３２が装着されたと認識する誤動作を防ぐことができる。次に、Ｄｕｏカード３０の一方の側面が側壁１１の内周面および斜面部１５２に向けて移動された後、側壁１１の内周面に当接せしめられる。これにより、図４（Ｂ）に示されるように、挿入されたＤｕｏカード３０の両側面がそれぞれ、側壁１１と、側壁１２および１３とに対し略平行となるので挿入されたＤｕｏカード３０の先端部における各凹部が、突起部１５４，１５５，１５６、１５７に対し位置決めされ対向することとなる。続いて、図４（Ｂ）の矢印の示す挿入方向にさらにＤｕｏカード３０の先端部が斜面部１５２を超えて押し込まれることにより、図５に示されるように、Ｄｕｏカード３０の先端部における各凹部が、突起部１５４，１５５，１５６、１５７に係合された後、Ｄｕｏカード３０の先端部がカード収容部１０の内周部の終端面に当接せしめられる。これにより、複数のコンタクト端子６の接点部とＤｕｏカード３０のコンタクトパッド３０４とが電気的に接続されることとなる。従って、上述のいずれの場合においても、Ｄｕｏカード３０が斜めの姿勢で挿入されることなく、カード収容部１８を通過してカード収容部１０に対し容易に着脱可能とされる。
【符号の説明】
【００４５】
１    ハウジング部
４，６，８    コンタクト端子
１０，１８    カード収容部
１１，１２、１３    側壁
３０    Ｄｕｏカード
３２    ＳＤカード
１３１    カード誘導部
３０３    面取り部
【図１】
0005790542.tif 000002
【図２】
0005790542.tif 000003
【図３】
0005790542.tif 000004
【図４】
0005790542.tif 000005
【図５】
0005790542.tif 000006
【図６】
0005790542.tif 000007
【図７】
0005790542.tif 000008